(57)【要約】      （修正有）【課題】収納箱の引き出しスタック構造を提供する。【解決手段】引き出し１０はプラスチックの一体射出成型で、引き出しの前板体外部下方は内凹状のグリップを形成していて、内に逆Ｌ字型の承置部１１２を形成する。引き出しの前板体１１の両端は、上から下に縮小する錘状の畳合部１１３を形成し、下端はＺ字のような形状の収束部１１４を形成する。引き出しの背板１２上方は複数の柱状の堆積部１２１を凸設し、引き出し頂部は外に突出した頂縁部１３を設置する。引き出しのスタック時、引き出しの畳合部はもう一つの引き出しの畳合部内に設置され、畳合部の収束部は引き出しのスタックの重圧により両スタック面が緊密になりすぎて、引き出しにくくなる問題を防止する。引き出し底面はもう一つの引き出しの承置部上に平置され、引き出しの堆積部はもう一つの引き出しの頂縁部上方に畳置され、引き出しスタック時の安定を達成する。【選択図】図３
0003150379.tif 000002
【実用新案登録請求の範囲】
【請求項１】
収納箱の引き出しスタック構造であって、引き出しは収納箱体の容置空間に入れられ、その特徴は、
前記引き出しはプラスチックの一体射出成型で、前記引き出しの前板体外部下方は内凹状のグリップを形成していて、内に逆L字型の承置部を形成し、前記引き出しの前板体の両端は、上から下に縮小する錘状の畳合部を形成し、下端はZ字のような形状の収束部を形成し、前記引き出しの背板上方は複数の柱状の堆積部を凸設し、前記引き出し頂部は外に突出した頂縁部を設置し、
前記引き出しのスタック時、前記引き出しの畳合部はもう一つの引き出しの畳合部内に設置され、前記畳合部の収束部は前記引き出しのスタックの重圧により両スタック面が緊密になりすぎて、引き出しにくくなる問題を防止し、また、前記引き出し底面はもう一つの引き出しの承置部上に平置され、前記引き出しの堆積部はもう一つの引き出しの頂縁部上方に畳置され、前記引き出しスタック時の安定を達成することを特徴とする収納箱の引き出しスタック構造。
【請求項２】
前記収納箱体は、底板、複数の支承素子、上板素子を組み合わせてなることを特徴とする請求項１に記載の収納箱の引き出しスタック構造。  
【考案の詳細な説明】
【技術分野】
【０００１】
本考案は、収納箱の引き出しスタック構造に関するものであって、特に、引き出しの畳合部に最適なスタック放置を提供し、引き出しの承置部、および、堆積部が更に、スタックの安定度を増加できる収納箱の引き出しスタック構造に関するものである。
【背景技術】
【０００２】
公知の収納箱体は、多くが、所定高度の主体、および、その間に入れられる一つ、或いは、それ以上の引き出しからなり、構成される箱体により収納空間を提供する。収納箱体は不使用時に、引き出し３０がもう一つの引き出し３０と積み重ねて放置される（図６で示される）ので、スタック後に以下のような欠点が生じる。まず、引き出し３０と別の引き出し３０が重なる時、引き出し３０が重圧を受けて、引き出しのスタック面が緊密になりすぎ（図６−１で示される）、次の使用時に取り出しにくくなる。次に、引き出し３０と別の引き出し３０を重ねる時、引き出し３０をもう一つの引き出し３０内部空間に重ねるので、重ねられた引き出し３０が不安定な放置になり、引き出しの美観が損なわれる。
【考案の概要】
【考案が解決しようとする課題】
【０００３】
本考案は、収納箱の引き出しスタック構造を提供し、引き出しは畳合部がもう一つの引き出しのスタックに使用され、畳合部の収束部はギャップを有し、引き出しのスタックによる重圧で両スタック面が緊密になりすぎる問題を防止して、引き出しの好ましいスタック効果を達成することを目的とする。
本考案は、収納箱の引き出しスタック構造を提供し、引き出しの承置部、および、堆積部が引き出しのスタック時の安定度を増加させて、引き出しの美観を達成することをもう一つの目的とする。
【課題を解決するための手段】
【０００４】
本考案の収納箱の引き出しスタック構造は、収納箱体が、底板、複数の支承素子、上板素子、からなる。引き出しは収納箱体の容置空間に入れられ、引き出しはプラスチックの一体射出成型である。引き出しの前板体外部下方は内凹状のグリップを形成していて、内に逆L字型の承置部を形成する。引き出しの前板体の両端は、上から下に縮小する錘状の畳合部を形成し、下端はZ字のような形状の収束部を形成する。引き出しの背板上方は複数の柱状の堆積部を凸設し、引き出し頂部は外に突出した頂縁部を設置する。引き出しのスタック時、引き出しの畳合部はもう一つの引き出しの畳合部内に設置され、畳合部の収束部は引き出しのスタックの重圧により両スタック面が緊密になりすぎて、引き出しにくくなる問題を防止する。
【考案の効果】
【０００５】
本考案の引き出しは、畳合部がもう一つの引き出しのスタックに使用され、畳合部の収束部がギャップを有するので、引き出しスタック時の重圧により両スタック面が緊密になりすぎる問題を防止し、引き出しの好ましいスタック効果が達成される。また、本考案の引き出しは、承置部と堆積部が引き出しをスタックする時、スタックの安定度を増加させて、引き出しスタックの美観を達成する。
【図面の簡単な説明】
【０００６】
【図１】本考案の引き出しと収納箱体の立体外観図である。
【図２】本考案の引き出しと収納箱体の立体分解図である。
【図３】本考案の引き出しスタック状態の立体外観図である。
【図４】本考案の引き出しスタック状態の組み合わせ断面図である。
【図４−１】図４の局部拡大図である。
【図５】本考案の引き出しスタック状態のもう一方向の組み合わせ断面図である。
【図５−１】図５の局部拡大図である。
【図６】公知の引き出しスタック状態の組み合わせ断面図である。
【図６−１】図６の局部拡大図である。
【考案を実施するための形態】
【０００７】
以下、添付図面を参照して本考案の実施の形態を詳細に説明する。
【実施例１】
【０００８】
図１〜図５は本考案の収納箱の引き出しスタック構造を示す図で、収納箱体２０は、底板２１、複数の支承素子２２、上板素子２３、からなる。引き出し１０は収納箱体２０の容置空間２４に入れられ、引き出し１０はプラスチックの一体射出成型である。引き出し１０の前板体１１外部下方は内凹状のグリップ１１１を形成していて、グリップ１１１は内に逆L字型の承置部１１２を形成し、且つ、引き出し１０の前板体１１の両端は、上から下に縮小する錘状の畳合部１１３を形成する。畳合部１１３下端はZ字のような形状の収束部１１４を形成する。引き出し１０の背板１２上方は複数の柱状の堆積部１２１を凸設し、引き出し１０頂部は外に突出した頂縁部１３を設置する。
【０００９】
図３〜図５は組み合わせ構造を示す図で、引き出し１０のスタック時、引き出し１０の畳合部１１３はもう一つの引き出し１０の畳合部１１３内に設置され（図３、図４、および、図４-１で示される）、畳合部１１３の収束部１１４は引き出し１０のスタック間にギャップを生成して、引き出し１０がスタックの重圧により両スタック面が緊密になりすぎて、引き出しにくくなる問題を防止する（図４、図４-１で示される）。引き出し１０底面はもう一つの引き出し１０の承置部１１２上に平置され（図５で示される）、引き出し１０の堆積部１２１はもう一つの引き出し１０の頂縁部１３上方に畳置され（図３〜図５、および、図５-１）、引き出し１０スタック時の安定を達成する。
【００１０】
引き出し１０の使用時、図１、図２で示されるように、引き出し１０が収納箱体２０と組み合わされ、引き出し１０に物品を収納することができる。引き出し１０不使用時、図３のように、引き出し１０の畳合部１１３をもう一つの引き出し１０の畳合部１１３内に配置し、且つ、引き出し１０底面はもう一つの引き出し１０の承置部１１２上に平置すると共に、引き出し１０の堆積部１２１をもう一つの引き出し１０の頂縁部１３上方に堆積して、引き出しスタックの好ましい使用効果を達成する。
【００１１】
本考案により、以下のような効果が達成される。本考案の引き出しは、畳合部がもう一つの引き出しのスタックに使用され、畳合部の収束部がギャップを有するので、引き出しスタック時の重圧により両スタック面が緊密になりすぎる問題を防止し、引き出しの好ましいスタック効果が達成される。また、本考案の引き出しは、承置部と堆積部が引き出しをスタックする時、スタックの安定度を増加させて、引き出しスタックの美観を達成する。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００１３】
１０、３０  引き出し
１１        前板体
１１１      グリップ
１１２      承置部
１１３      畳合部
１１４      収束部
１２        背板
１２１      堆積部
１３        頂縁部
２０        収納箱体
２１        底板
２２        支承素子
２３        上板素子
２４        容置空間
【図１】
0003150379.tif 000003
【図２】
0003150379.tif 000004
【図３】
0003150379.tif 000005
【図４】
0003150379.tif 000006
【図４−１】
0003150379.tif 000007
【図５】
0003150379.tif 000008
【図５−１】
0003150379.tif 000009
【図６】
0003150379.tif 000010
【図６−１】
0003150379.tif 000011